(57)【要約】【課題】冷却貯蔵庫本体の前面開口を上下に仕切る仕切り部材が横方向に配設され、仕切り部材の前面板の裏側に冷凍システムの高温冷媒パイプの一部が露付き防止パイプとして配設されたものにおいて、前面板の上下端部のシールに特別なパッキングを設けることなくシールが達成でき、しかも、前面板へ広い面積のアルミニウムテープによる露付き防止パイプの接着を不要とした構成を提供するものである。【解決手段】冷却貯蔵庫本体の前面開口を上下に仕切る仕切り部材が仕切り本体と前面板を備え、前面板の裏側に配設された露付き防止パイプを裏側から覆うと共に前面板の上下端部と仕切り本体との隙間を覆う広さを有する可撓性板材を備え、この可撓性板材の裏側の仕切り本体内に冷却貯蔵庫本体に充填される断熱材の一部が流入して発泡充填された構成。【選択図】  図５
2004225946.tif 000002
【特許請求の範囲】
【請求項１】
内箱と外箱との間に断熱材を充填して形成された冷却貯蔵庫本体の前面開口を上下に仕切る仕切り部材が横方向に配設され、前記仕切り部材は前面開口の仕切り本体とこの仕切り本体の前面開口を塞ぐ前面板とを備え、この前面板の裏側には冷凍システムの高温冷媒パイプの一部が露付き防止パイプとして配設され、前記露付き防止パイプを裏側から覆う可撓性板材を備え、この可撓性板材の裏側の前記仕切り本体内に前記冷却貯蔵庫本体に充填される断熱材の一部が流入して発泡充填された構成の冷却貯蔵庫。
【請求項２】
内箱と外箱との間に断熱材を充填して形成された冷却貯蔵庫本体の前面開口を上下に仕切る仕切り部材が横方向に配設され、前記仕切り部材は前面開口の仕切り本体とこの仕切り本体の前面開口を塞ぐ前面板とを備え、この前面板の裏側には冷凍システムの高温冷媒パイプの一部が露付き防止パイプとして配設され、前記露付き防止パイプを裏側から覆うと共に前記前面板の上下端部と前記仕切り本体との隙間を覆う広さを有する可撓性板材を備え、この可撓性板材の裏側の前記仕切り本体内に前記冷却貯蔵庫本体に充填される断熱材の一部が流入して発泡充填された構成の冷却貯蔵庫。
【請求項３】
前記可撓性板材が弾力性を有する発泡断熱材で構成されたことを特徴とする請求項１または２に記載の冷却貯蔵庫。
【請求項４】
内箱と外箱との間に断熱材を充填する冷却貯蔵庫本体の前面開口を上下に仕切る仕切り部材が横方向に配設され、前記仕切り部材は前面開放の仕切り本体とこの仕切り本体の前面開放部を塞ぐ前面板とを備え、この前面板の裏側に冷凍システムの高温冷媒パイプの一部が露付き防止パイプとして配設される冷却貯蔵庫であって、前記仕切り本体は上下両壁と背壁とで前面と左右両側面が開放した縦断側面形状が略コ字型形状をなし、前記仕切り本体内空間に対応して前記冷却貯蔵庫本体の左右側壁の内箱に形成された断熱材の流出口が形成され、前記仕切り本体の前面開放部をその内側で可撓性板材によって覆った状態で、前記露付き防止パイプを裏側に配設するよう前記前面板を前記仕切り本体の前面開放部を塞ぐように組み合わせ、前記内箱と外箱との間の断熱材充填空間に発泡性断熱材を充填し、この発泡性断熱材の一部を前記流出口から前記可撓性板材の後側の前記仕切り本体内空間に流入せしめ、前記可撓性板材がこの流入した発泡性断熱材の発泡圧によって前記前面板の上下端部と前記仕切り本体との隙間を覆いつつ前記露付き防止パイプを前記前面板の裏側に押圧密着することを特徴とする冷却貯蔵庫の仕切り部の製造方法。
【発明の詳細な説明】
【０００１】
【発明の属する技術分野】
本発明は、冷却貯蔵庫本体の開口を仕切る仕切り部に冷凍システムの高温冷媒パイプの一部を露付き防止パイプとして配設した冷却貯蔵庫に関する。
【０００２】
【従来の技術】
冷却貯蔵庫の一種である冷蔵庫等において、冷蔵庫本体の前面開口を上下に仕切る仕切り体の前面板の裏側に、冷凍システムの高温冷媒パイプの一部をアルミニウムテープによって貼り付け保持して防露用パイプとしたものがある（例えば、特許文献１参照）。
【０００３】
特許文献１のものは、仕切りカバーの前面開口を塞ぐ仕切り板の裏側に広い面積のアルミニウムテープによって防露用パイプが貼り付け保持されており、仕切りカバーの左右側壁には連通穴が形成され、この連通穴に対応して内箱の左右には流通穴が形成され、冷蔵庫本体の内外両箱間の充填空間に注入される発泡性断熱材がこの連通穴と流通穴を通って仕切りカバー内へ流れ込み、仕切り体の内部を発泡性断熱材で満たすと共に、発泡により防露用パイプを仕切り板の裏側に押圧する構成である。
【０００４】
【特許文献１】
特開平０６−１５９９１８号公報（第１〜３頁、図１〜６）
【０００５】
【発明が解決しようとする課題】
特許文献１のものは、仕切りカバー内には３ケ所のパイプ保持部が形成され、発泡性断熱材が通過するために、このパイプ保持部に流入穴を、そして仕切りカバーの左右側壁に連通穴を形成している。このように、連通穴と流入穴の形成が必要であり、構造が複雑である。また、防露用パイプはアルミニウムテープによって接着固定され、更に３ケ所のパイプ保持部によって保持されるため、アルミニウムテープによる接着位置を正確にしなければパイプ保持部による保持ができない状態となり、組立て作業が面倒である。
【０００６】
また、特許文献１のものでは、仕切りカバーと仕切りカバーの前面開口を塞ぐ仕切り板との隙間をシールするために、パイプ保持部の上下両端部に棒状パッキングが左右方向に長く設けられ、その取り付けの面倒と部品数の増加を生じる。
【０００７】
本発明はこれらの点に鑑みて、特許文献１のように、特別なパッキングを設けることなくシールが達成できるものである。また、広い面積のアルミニウムテープによる露付き防止パイプの接着を不要とし、仕切り部材の前面板の裏面に露付き防止パイプを押し付け接触させることができる簡単な構成を提供するものでもある。
【０００８】
【課題を解決するための手段】
本発明の冷却貯蔵庫は、内箱と外箱との間に断熱材を充填して形成された冷却貯蔵庫本体の前面開口を上下に仕切る仕切り部材が横方向に配設され、前記仕切り部材は前面開口の仕切り本体とこの仕切り本体の前面開口を塞ぐ前面板とを備え、この前面板の裏側には冷凍システムの高温冷媒パイプの一部が露付き防止パイプとして配設され、前記露付き防止パイプを裏側から覆う可撓性板材を備え、この可撓性板材の裏側の前記仕切り本体内に前記冷却貯蔵庫本体に充填される断熱材の一部が流入して発泡充填された構成である。
【０００９】
これによって、仕切り本体内は発泡充填された断熱材によって十分な断熱構造となり、露付き防止パイプの熱が後方へ伝達されず前面板の加熱に有効に作用する。そして、可撓性板材が発泡圧によって露付き防止パイプを包むように前面板に押圧して、露付き防止パイプを安定的に前面板に保持できるため、仕切り本体に露付き防止パイプのパイプ保持部を形成する必要がなく、しかも従来のような広い面積のアルミニウムテープによる接着も不要となる。
【００１０】
また、本発明の冷却貯蔵庫は、内箱と外箱との間に断熱材を充填して形成された冷却貯蔵庫本体の前面開口を上下に仕切る仕切り部材が横方向に配設され、前記仕切り部材は前面開口の仕切り本体とこの仕切り本体の前面開口を塞ぐ前面板とを備え、この前面板の裏側には冷凍システムの高温冷媒パイプの一部が露付き防止パイプとして配設され、前記露付き防止パイプを裏側から覆うと共に前記前面板の上下端部と前記仕切り本体との隙間を覆う広さを有する可撓性板材を備え、この可撓性板材の裏側の前記仕切り本体内に前記冷却貯蔵庫本体に充填される断熱材の一部が流入して発泡充填された構成である。
【００１１】
これによって、仕切り本体内は発泡充填された断熱材によって十分な断熱構造となり、露付き防止パイプの熱が後方へ伝達されず前面板の加熱に有効に作用する。そして、可撓性板材が発泡圧によって露付き防止パイプを包むように前面板に押圧して、露付き防止パイプを安定的に前面板に保持できるため、仕切り本体に露付き防止パイプのパイプ保持部を形成する必要がなく、しかも従来のような広い面積のアルミニウムテープによる接着も不要となる。そして、特別なパッキングを設けることなく、仕切り本体と前面板との隙間シールが達成できる。
【００１２】
また、本発明では、前記可撓性板材が弾力性を有する発泡断熱材で構成されたことにより、充填される発泡性断熱材の発泡圧によって可撓性板材が押圧圧縮されることによって増加する可撓性板材の弾力性によって、露付き防止パイプの前面板への押圧力が増加するため、露付き防止パイプと前面板の接触を確実にする作用効果が増す。
【００１３】
また、冷却貯蔵庫の仕切り部の製造方法として、前記仕切り本体は上下両壁と背壁とで前面と左右両側面が開放した縦断側面形状が略コ字型形状をなし、前記仕切り本体内空間に対応して前記冷却貯蔵庫本体の左右側壁の内箱に形成された断熱材の流出口が形成され、前記仕切り本体の前面開放部をその内側で可撓性板材によって覆った状態で、前記露付き防止パイプを裏側に配設するよう前記前面板を前記仕切り本体の前面開放部を塞ぐように組み合わせ、前記冷却貯蔵庫本体の前面開口を下側にした状態で前記内箱と外箱との間の断熱材充填空間に発泡性断熱材を充填し、この発泡性断熱材の一部を前記流出口から前記可撓性板材の後側の前記仕切り本体内空間に流入せしめ、前記可撓性板材がこの流入した発泡性断熱材の発泡圧によって前記前面板の上下端部と前記仕切り本体との隙間を覆いつつ前記露付き防止パイプを前記前面板の裏側に押圧密着させるものである。このため、前記露付き防止パイプを発泡圧によって押圧する前記可撓性板材が、前面板の上下端部と前記仕切り本体との隙間シール材を兼ねるため、特別なシール材が不要となり、シール作業も簡素化される。
【００１４】
【発明の実施の形態】
次に、本発明の実施の形態について説明する。各図は本発明の実施形態を示しており、図１は本発明に係る冷蔵庫の縦断側面、図２は本発明に係る露付き防止パイプを冷蔵庫本体へ配設した状態の斜視図、図３は本発明に係る仕切り部の側部の構成を示す分解斜視図、図４は断熱材充填前の本発明に係る仕切り部の断面図、図５は断熱材充填後の本発明に係る仕切り部の断面図である。
【００１５】
これらの図において、Ｒは冷却貯蔵庫の一つである冷蔵庫であり、前面開口の冷蔵庫本体１内を区画して複数の貯蔵室を形成し、これら各貯蔵室の前面は扉で開閉できる構成である。この冷蔵庫において、１は冷蔵庫本体であり、外箱（外壁板）３と内箱（内壁板）２との間に発泡断熱材４を充填した断熱構造である。
冷蔵庫本体１内には、貯蔵室として上から冷蔵室５、野菜室６、冷凍室７が区画されて設けられ、冷蔵室５内には複数段に板状棚で構成した棚装置８が設けられている。冷蔵室５内の底部にはその上方の冷蔵室５と最下段の棚装置８にて区画された特定低温室９が設けられ、また冷凍室７は上冷凍室１０と下冷凍室１１に区分されている。
【００１６】
冷蔵室５の前面開口は、冷蔵庫本体１の一側部にヒンジ装置にて横方向に回動して開閉される回動式扉１２にて閉塞される。野菜室６の前面開口は、野菜室６内に設けた左右のレール又はローラ装置によって前後方向へ引き出し可能に支持した野菜容器１３と共に前方へ引き出される引き出し式扉１４にて閉塞されている。上冷凍室１０と下冷凍室１１はそれぞれ野菜室６と同様に、冷凍室内に設けた左右のレールに対してそれぞれ前後方向へ引き出し可能に支持した容器１５、１６と共に前方へ引き出される引き出し式扉１７、１８にて閉塞されている。
【００１７】
２０は冷凍システムの冷媒の圧縮機、２１は冷凍システムの冷媒の凝縮器、２２は凝縮器２１の熱にて後述の冷却器の除霜水を蒸発させる蒸発皿である。２３、２４は冷凍システムの冷媒の冷却器（蒸発器）であり、２３は冷凍室７用冷却器、２４は冷蔵室５、野菜室６及び特定低温室９用冷却器である。２５は第１冷気循環送風機、２６は第２冷気循環送風機である。冷却器２３で冷却した冷気は送風機２５によって、上冷凍室１０及び下冷凍室１１を経て冷却器２３へ帰還する循環をする。また冷却器２４で冷却した冷気は送風機２６によって、冷蔵室５、特定低温室９及び野菜室６を経て冷却器２４へ帰還する循環をする。このような冷気循環経路は図１に矢印で示す。特定低温室９は、前後方向へ引き出し可能に支持した容器２７が設けられ、０℃前後で食品が凍結しない程度の低温に冷却されるものである。
【００１８】
冷蔵庫本体１には、冷蔵室５、野菜室６、冷凍室７を区画するように、冷蔵庫本体１の前面開口を上下に仕切る仕切り部材３０が横方向に配設されている。この仕切り部材３０は、前面開放の仕切り本体３１とこの仕切り本体３１の前面開放部を塞ぐ前面板３２とを備え、その仕切り部材３０の代表的な一つである冷蔵室５と野菜室６を仕切る仕切り部材３０について説明することとする。
【００１９】
冷蔵庫本体１には、その前面開口の周縁に前記冷凍システムの圧縮機２０で圧縮された冷媒が通過する高温冷媒パイプの一部が露付き防止パイプ３３として配設されている。そして、この露付き防止パイプ３３の一部が仕切り部材３０の前面板３２の裏側にも露付き防止パイプ３４として配設されている。露付き防止パイプ３４は、露付き防止パイプ３３と連続形成されるように露付き防止パイプ３３の所定の箇所が仕切り部材３０に沿って水平方向に延びて一方端部（図では左端）でＵターンする形状である。外箱３の前面フランジの裏側に配設した露付き防止パイプ３３は、その一部が内箱２の前面フランジ部２Ａに形成した窪み３５の部分から露付き防止パイプ３４として延びており、窪み３５は、前面板３２を取り付けたときその左右端部にて覆われる。
【００２０】
仕切り本体３１は、上下両壁３６、３７と背壁３８とで前面と左右両側面が開放した縦断側面形状が略コ字型形状をなした合成樹脂製であり、上下両壁３６、３７には前面板３２の上下両壁に形成した係止孔３９に係合する係止突起４０を形成している。仕切り本体３１の上下両壁３６、３７の内側面には左右に所定間隔でもって前後方向に延びたリブ４２が形成されている。このリブ４２は、その前端が上下両壁３６、３７の前端よりも奥側に位置した短い長さである。仕切り部材３０の取り付けは、仕切り本体３１を断熱材４の充填前の冷蔵庫本体１にネジ止めにて固定される。仕切り本体３１の左右の開放部周縁と内箱２の左右側壁との間に隙間が生じる場合は、シール材でシールすることが好ましい。
【００２１】
上記のように仕切り本体３１を冷蔵庫本体１に取り付けた後、露付き防止パイプ３４押さえ用の可撓性板材４３を上下のリブ４２の前端に当接した状態で仕切り本体３１内に挿入保持させる。可撓性板材４３は、発泡ポリエチレンやその他の発泡材等のように弾性と可撓性を有する断熱材であり、仕切り本体３１の前面開放部の略全体を覆う面積を有する横長の平板状であり、仕切り本体３１内に挿入したとき、上下両壁３６、３７と内箱２の左右側面を押圧するように撓んだ状態に挿入され、その復元力によって仕切り本体３１内に保持される大きさが好ましい。可撓性板材４３は、前面板３２の上下端部と仕切り本体３１の上下壁３６、３７との隙間を十分に覆う大きさにすることにより、後述の発泡性断熱材がこの隙間から漏洩しない構成とすることができる。このように、仕切り本体３１の前面開放部は、その内側で可撓性板材４３によって覆われた状態となる。なお、仕切り本体３１の左右の開放部は、内箱２の左右側壁で塞がれた状態である。
【００２２】
可撓性板材４３を仕切り本体３１内に挿入した後、露付き防止パイプ３４が図３に点線で示すようにやや斜め前方へ延びた状態で、露付き防止パイプ３４を前面板３２で押し付けつつ仕切り本体３１の係止突起４０が前面板３２の係止孔３９に係合する位置へ前面板３２を押し付けることにより、前面板３２が仕切り本体３１の前面開放部を塞ぐように組み合わされる。この状態で露付き防止パイプ３４が図３の実線のように水平状態に配設される。前面板３２の左右端部は外箱３の前面フランジ３Ａの裏側へ挿入した状態でネジ止め固定される。この状態で露付き防止パイプ３４は、その復元力を伴って前面板３２の裏面に当接した状態となる。仕切り本体３１と前面板３２との結合は、ネジ結合とする構成でも差し支えない。
【００２３】
なお、露付き防止パイプ３４が図３に点線で示すようにやや斜め前方へ延びた状態で、前面板３２の裏面に露付き防止パイプ３４を幅の狭いアルミニウム製テープや接着剤で数箇所仮止めした後、前面板３２を仕切り本体３１の前面に取り付ける方式でもよい。
【００２４】
仕切り部材３０に対応した左右側壁の内箱２には、可撓性板材４３よりも後方位置において仕切り本体３１の左右両側面の開放部と連通する位置に断熱材の流出口４１が形成されている。この流出口４１によって、冷蔵庫本体１の内箱２と外箱３との間の空間と仕切り本体３１内の空間とが連通した状態となる。仕切り本体３１内には前面板３２の取り付け前に必要な電気部品等を取り付けておくこともできる。上記のように露付き防止パイプ３４が裏側に配設された前面板３２の取り付けによって、仕切り部材３０の取り付けが終了し、その状態で露付き防止パイプ３４の裏側に可撓性板材４３が位置し、可撓性板材４３の後方空間に流出口４１が開口した状態である。この状態は図４に示す。
【００２５】
この状態で、冷蔵庫本体１の前面開口を下側にした状態で内箱２と外箱３との間の断熱材充填空間に発泡ポリウレタン等の発泡性断熱材４の原液を冷蔵庫本体１の背面注入孔から注入する。この発泡性断熱材４の原液の一部が流出口４１から可撓性板材４３の後側の仕切り本体３１内空間に流入し、冷蔵庫本体１内の空間と仕切り本体３１内の空間に発泡性断熱材４が発泡充填される。可撓性板材４３は、この流入した発泡性断熱材４の発泡圧によって前方へ押圧され、図５に示すように前面板３２の上下端部と仕切り本体３１の上下壁３６、３７との隙間を覆いつつ露付き防止パイプ３４を前面板３２の裏側に押圧密着する。
【００２６】
このように発泡性断熱材４を充填した後、冷蔵庫本体１内には所定の部品が組み立てられる。その一つとして、冷蔵室５の底板５０が仕切り部材３０に載置された状態で組みつけられる。
【００２７】
上記のように本発明によって、仕切り本体３１内は発泡充填された断熱材４によって十分な断熱構造となり、露付き防止パイプ３４の熱が後方へ伝達されず前面板３２の加熱に有効に作用する。そして、可撓性板材４３が発泡圧によって露付き防止パイプ３４を包むように前面板３２に押圧して、露付き防止パイプ３４を安定的に前面板３２に保持できる。このため、仕切り本体３１に露付き防止パイプ３４のパイプ保持部を形成する必要がなく、しかも従来のような広い面積のアルミニウムテープによる接着も不要となる。更に、特別なパッキングを設けることなく、仕切り本体３１と前面板３２との隙間シールが達成できる。
【００２８】
また、本発明では、可撓性板材４３が発泡ポリエチレンのようにある程度の腰のある（硬さのある）弾力性を有する発泡断熱材で構成されることにより、充填される発泡性断熱材４の発泡圧によって可撓性板材４３が押圧圧縮され、それによって生じる可撓性板材４３を介した弾力押圧力によって、露付き防止パイプ３４の前面板３２への押圧力が増加し、露付き防止パイプ３４と前面板３２の接触を確実にする作用効果が増すこととなる。
【００２９】
本発明は、上記実施形態の冷蔵庫に限定されず、種々の形態の冷蔵庫、恒温庫、冷凍庫等に適用でき、本発明の技術的範囲を逸脱しない限り種種の変更が考えられ、それに係る種種の実施形態を包含するものである。
【００３０】
【発明の効果】
本発明によって、仕切り本体内は発泡充填された断熱材によって十分な断熱構造となり、露付き防止パイプの熱が後方へ伝達されず前面板の加熱に有効に作用する。そして、可撓性板材が発泡圧によって露付き防止パイプを包むように前面板に押圧して、露付き防止パイプを安定的に前面板に保持でき、仕切り本体に露付き防止パイプのパイプ保持部を形成する必要がなく、しかも従来のような広い面積のアルミニウムテープによる接着も不要となる。また、特別なパッキングを設けることなく、仕切り本体と前面板との隙間シールが達成できる。
【００３１】
また、本発明では、可撓性板材が発泡ポリエチレンのようにある程度の腰のある（硬さのある）弾力性を有する発泡断熱材で構成されることにより、充填される発泡性断熱材の発泡圧によって可撓性板材が押圧圧縮され、それによって生じる可撓性板材を介した弾力押圧力によって、露付き防止パイプを前面板へ押圧保持できることとなる。
【００３２】
また、本発明冷却貯蔵庫の仕切り部の製造方法によって、仕切り部材内への断熱材に充填と、仕切り部材内に配置される露付き防止パイプの保持と、仕切り部のシールが簡素化される効果がある。
【図面の簡単な説明】
【図１】本発明に係る冷蔵庫の縦断側面である。
【図２】本発明に係る露付き防止パイプを冷蔵庫本体へ配設した状態の斜視図である。
【図３】本発明に係る仕切り部の側部の構成を示す分解斜視図である。
【図４】断熱材充填前の本発明に係る仕切り部の断面図である。
【図５】断熱材充填後の本発明に係る仕切り部の断面図である。
【符号の説明】
１・・・冷蔵庫本体
２・・・内箱
３・・・外箱
４・・・断熱層
３０・・・仕切り部
３１・・・仕切り本体
３２・・・前面板
３４・・・露付き防止パイプ
３６、３７・・仕切り本体の上下壁
３８・・・仕切り本体の背壁
４１・・・内箱に断熱材の流出口
４２・・・仕切り本体の上下壁のリブ
４３・・・可撓性板材
【図１】
2004225946.tif 000003
【図２】
2004225946.tif 000004
【図３】
2004225946.tif 000005
【図４】
2004225946.tif 000006
【図５】
2004225946.tif 000007